(57)【要約】      （修正有）【課題】商品陳列の演出効果の方向性が４方向であり且つ一体感のある陳列面を形成することができる商品陳列棚セットを提供する。【解決手段】第一商品陳列棚１ａ及び第二商品陳列棚１ｂからなる商品陳列棚セットであり、第一商品陳列棚及び第二商品陳列棚は、陳列面の外縁が、コ字状の外縁部２ａと、コ字状の外縁部の一端側の第一商品陳列棚対向外縁部３ａと、コ字状の外縁部の他端側の第二商品陳列棚対向外縁部４ａと、第一陳列面前側外縁部５ａと、第二陳列面前側外縁部６ａと、第三陳列面前側外縁部７ａと、からなる陳列面を有し、第一商品陳列棚の第一商品陳列棚対向外縁部の形状と第二商品陳列棚の第一商品陳列棚対向外縁部の形状が同じであり、且つ、第一商品陳列棚の第二商品陳列棚対向外縁部の形状と第二商品陳列棚の第二商品陳列棚対向外縁部の形状が同じであり、コ字状の外縁部が、被設置体の周囲を囲むように、被設置体に設置可能であること、を特徴とする。【選択図】図１
0003197455.tif 000002
【実用新案登録請求の範囲】
【請求項１】
第一商品陳列棚及び第二商品陳列棚からなる商品陳列棚セットであり、
該第一商品陳列棚及び該第二商品陳列棚は、陳列面を平面視したときに、陳列面の外縁が、コ字状の外縁部と、該コ字状の外縁部の一端側の第一商品陳列棚対向外縁部と、該コ字状の外縁部の他端側の第二商品陳列棚対向外縁部と、第一陳列面前側外縁部と、第二陳列面前側外縁部と、第三陳列面前側外縁部と、からなる陳列面を有し、
該第一商品陳列棚の第一商品陳列棚対向外縁部の形状と該第二商品陳列棚の第一商品陳列棚対向外縁部の形状が同じであり、且つ、該第一商品陳列棚の第二商品陳列棚対向外縁部の形状と該第二商品陳列棚の第二商品陳列棚対向外縁部の形状が同じであり、
該第一商品陳列棚の第一商品陳列棚対向外縁部と該第二商品陳列棚の第一商品陳列棚対向外縁部とが向かい合わせになり、該第一商品陳列棚の第二商品陳列棚対向外縁部と該第二商品陳列棚の第二商品陳列棚対向外縁部とが向かい合わせになり、且つ、該第一商品陳列棚のコ字状の外縁部及び該第二商品陳列棚のコ字状の外縁部が、被設置体の周囲を囲むように、被設置体に設置可能であること、
を特徴とする商品陳列棚セット。
【請求項２】
前記第一商品陳列棚のコ字状の外縁部と前記第二商品陳列棚のコ字状の外縁部とにより形成される形状が正方形であることを特徴とする請求項１記載の商品陳列棚セット。
【請求項３】
前記第一商品陳列棚の陳列面の平面形状と前記第二商品陳列棚の陳列面の平面形状とが同じ形状であることを特徴とする請求項１又は２いずれか１項記載の商品陳列棚セット。
【請求項４】
前記第一商品陳列棚の第三陳列面前側外縁部及び前記第二商品陳列棚の第三陳列面前側外縁部の形状が、いずれも、同じ形状の２つの孤が点対称に連結している逆Ｓ字状の形状であり、前記第一商品陳列棚の第三陳列面前側外縁部の形状と、前記第二商品陳列棚の第三陳列面前側外縁部の形状が、同じであり、且つ、前記第一商品陳列棚の第一陳列面前側外縁部と前記第二商品陳列棚の第一陳列面前側外縁部とにより形成される形状及び前記第一商品陳列棚の第二陳列面前側外縁部と前記第二商品陳列棚の第二陳列面前側外縁部とにより形成される形状が、いずれも、同じ形状の２つの孤が点対称に連結しているＳ字状の形状であり、前記第一商品陳列棚の第一陳列面前側外縁部と前記第二商品陳列棚の第一陳列面前側外縁部とにより形成される形状と、前記第一商品陳列棚の第二陳列面前側外縁部と前記第二商品陳列棚の第二陳列面前側外縁部とにより形成される形状が、同じであり、且つ、前記第一商品陳列棚の第三陳列面前側外縁部及び前記第二商品陳列棚の第三陳列面前側外縁部の形状と、前記第一商品陳列棚の第一陳列面前側外縁部と前記第二商品陳列棚の第一陳列面前側外縁部とにより形成される形状及び前記第一商品陳列棚の第二陳列面前側外縁部と前記第二商品陳列棚の第二陳列面前側外縁部とにより形成される形状とが、線対称であることを特徴とする請求項１〜４いずれか１項記載の商品陳列棚セット。
【請求項５】
前記第一商品陳列棚の第三陳列面前側外縁部及び前記第二商品陳列棚の第三陳列面前側外縁部の形状が、いずれも、同じ形状の２つの孤が点対称に連結しているＳ字状の形状であり、前記第一商品陳列棚の第三陳列面前側外縁部の形状と、前記第二商品陳列棚の第三陳列面前側外縁部の形状が、同じであり、且つ、前記第一商品陳列棚の第一陳列面前側外縁部と前記第二商品陳列棚の第一陳列面前側外縁部とにより形成される形状及び前記第一商品陳列棚の第二陳列面前側外縁部と前記第二商品陳列棚の第二陳列面前側外縁部とにより形成される形状が、いずれも、同じ形状の２つの孤が点対称に連結している逆Ｓ字状の形状であり、前記第一商品陳列棚の第一陳列面前側外縁部と前記第二商品陳列棚の第一陳列面前側外縁部とにより形成される形状と、前記第一商品陳列棚の第二陳列面前側外縁部と前記第二商品陳列棚の第二陳列面前側外縁部とにより形成される形状が、同じであり、且つ、前記第一商品陳列棚の第三陳列面前側外縁部の形状及び前記第二商品陳列棚の第三陳列面前側外縁部の形状と、前記第一商品陳列棚の第一陳列面前側外縁部と前記第二商品陳列棚の第一陳列面前側外縁部とにより形成される形状及び前記第一商品陳列棚の第二陳列面前側外縁部と前記第二商品陳列棚の第二陳列面前側外縁部とにより形成される形状とが、線対称であることを特徴とする請求項１〜４いずれか１項記載の商品陳列棚セット。
【請求項６】
前記第一商品陳列棚の第一商品陳列棚対向外縁部の形状が、前記第一商品陳列棚の第二陳列面前側外縁部の第三陳列面前側外縁部側の部分と同じであり、且つ、前記第二商品陳列棚の第一陳列面前側外縁部の第三陳列面前側外縁部側の部分と同じであり、
前記第一商品陳列棚の第二商品陳列棚対向外縁部の形状が、前記第一商品陳列棚の第一陳列面前側外縁部の第三陳列面前側外縁部側の部分と同じであり、且つ、前記第二商品陳列棚の第二陳列面前側外縁部の第三陳列面前側外縁部側の部分と同じであり、
前記第二商品陳列棚の第一商品陳列棚対向外縁部の形状が、前記第一商品陳列棚の第一陳列面前側外縁部の第三陳列面前側外縁部側の部分と同じであり、且つ、前記第二商品陳列棚の第二陳列面前側外縁部の第三陳列面前側外縁部側の部分と同じであり、
前記第二商品陳列棚の第二商品陳列棚対向外縁部が、前記第一商品陳列棚の第二陳列面前側外縁部の第三陳列面前側外縁部側の部分と同じであり、且つ、前記第二商品陳列棚の第一陳列面前側外縁部の第三陳列面前側外縁部側の部分と同じであること、
を特徴とする請求項１〜５いずれか１項記載の商品陳列棚セット。
【請求項７】
前記第一商品陳列棚の第一陳列面前側外縁部、第二陳列面前側外縁部及び第三陳列面前側外縁部と、前記第二商品陳列棚の第一陳列面前側外縁部、第二陳列面前側外縁部及び第三陳列面前側外縁部とにより形成される形状が、正方形又は長方形であることを特徴とする請求項１記載の商品陳列棚セット。
【請求項８】
前記コ字状の外縁部側に、線材に引っ掛かることができるフックが付設され、前記第一商品陳列棚及び第二商品陳列棚の底面側且つ前記コ字状の外縁部の第一辺及び第二辺側に、第一辺側の線材及び第二辺側の線材が納まる切欠き部が形成されていることを特徴とする請求項１〜７いずれか１項記載の商品陳列棚セット。
【考案の詳細な説明】
【技術分野】
【０００１】
本発明は、商品を陳列するための商品陳列棚であって、角柱状の被設置体に設置される商品陳列棚に関する。
【背景技術】
【０００２】
従来より、店舗等の壁側や柱側に商品を陳列するときには、壁面に商品陳列棚を設置することが行われてきた。例えば、図２６及び図２７に示すように、フック４３が付設されている商品陳列棚４１を用意し、それをフック嵌合穴４２が設けられた壁面４０に設置することにより、壁に商品陳列棚を設置し、壁側に陳列面を形成させる。なお、図２６及び図２７の（ａ）は商品陳列棚を設置する前の図であり、（ｂ）は商品陳列棚が設置されている図である。
【０００３】
また、店舗等の壁側や柱側以外の場所に商品を陳列する場合に、広い商品陳列面を形成するときには、脚付きの商品陳列台が用いられていた。例えば、図２８及び図２９に示すように、脚４５が商品陳列板４６に付設されている商品陳列台４８を２つ用意し、それらを２つ合わせることにより、１つの陳列面を形成させる。
【考案の概要】
【考案が解決しようとする課題】
【０００４】
図２６及び図２７に示す商品陳列棚では、商品陳列の演出効果の方向性は、図２７（ｂ）中の矢印４４の１方向となってしまう。また、壁に複数の商品陳列棚を設置したとしても、それぞれの商品陳列棚の陳列面が異なる高さにあるため、一体感が少なくなってしまう。
【０００５】
図２８及び図２９に示す商品陳列台では、２つの商品陳列板が高さを同じにして並べられているので、一体感のある演出効果が期待できる。しかしながら、図２８及び図２９に示す商品陳列台では、商品陳列の演出効果の方向性は、図２９（ｂ）中の矢印４７の２方向になってしまう。無理に４方向の方向性を持たせようとして、商品を４つの方向に向けて陳列すると、全体的には、バラバラの方向に商品が向いているような印象を与えてしまい、演出効果が損なわれてしまう。
【０００６】
従って、本発明の課題は、商品陳列の演出効果の方向性が４方向であり且つ一体感のある陳列面を形成することができる商品陳列棚を提供することにある。
【課題を解決するための手段】
【０００７】
上記本発明の課題は、以下の本発明により解決される。
すなわち、本発明は、第一商品陳列棚及び第二商品陳列棚からなる商品陳列棚セットであり、
該第一商品陳列棚及び該第二商品陳列棚は、陳列面を平面視したときに、陳列面の外縁が、コ字状の外縁部と、該コ字状の外縁部の一端側の第一商品陳列棚対向外縁部と、該コ字状の外縁部の他端側の第二商品陳列棚対向外縁部と、第一陳列面前側外縁部と、第二陳列面前側外縁部と、第三陳列面前側外縁部と、からなる陳列面を有し、
該第一商品陳列棚の第一商品陳列棚対向外縁部の形状と該第二商品陳列棚の第一商品陳列棚対向外縁部の形状が同じであり、且つ、該第一商品陳列棚の第二商品陳列棚対向外縁部の形状と該第二商品陳列棚の第二商品陳列棚対向外縁部の形状が同じであり、
該第一商品陳列棚の第一商品陳列棚対向外縁部と該第二商品陳列棚の第一商品陳列棚対向外縁部とが向かい合わせになり、該第一商品陳列棚の第二商品陳列棚対向外縁部と該第二商品陳列棚の第二商品陳列棚対向外縁部とが向かい合わせになり、且つ、該第一商品陳列棚のコ字状の外縁部及び該第二商品陳列棚のコ字状の外縁部が、被設置体の周囲を囲むように、被設置体に設置可能であること、
を特徴とする商品陳列棚セットを提供するものである。
【考案の効果】
【０００８】
本発明によれば、商品陳列の演出効果の方向性が４方向であり且つ一体感のある陳列面を形成することができる商品陳列棚を提供することができる。
【図面の簡単な説明】
【０００９】
【図１】本発明の商品陳列棚セットの第一の形態例の模式的な平面図である。
【図２】図１の商品陳列棚セットの斜視図である。
【図３】図１中の第一商品陳列棚の正面図である。
【図４】図１中の第一商品陳列棚の左側面図である。
【図５】図１中の第一商品陳列棚の右側面図である。
【図６】図１中の第一商品陳列棚の背面図である。
【図７】本発明の商品陳列棚セットの第二の形態例の模式的な平面図である。
【図８】図７の商品陳列棚セットの斜視図である。
【図９】図７中の第一商品陳列棚の正面図である。
【図１０】図７中の第一商品陳列棚の左側面図である。
【図１１】図７中の第一商品陳列棚の右側面図である。
【図１２】図７中の第一商品陳列棚の背面図である。
【図１３】本発明の商品陳列棚セットが設置される被設置体の形態例の模式的な斜視図である。
【図１４】図１３に示す被設置体２２ａに図１に示す商品陳列棚セット１０Ａが設置される様子を示す図である。
【図１５】図１３に示す被設置体２２ａに図１に示す商品陳列棚セット１０Ａが設置される様子を示す図である。
【図１６】本発明の商品陳列棚セットが設置される被設置体の形態例の模式的な斜視図である。
【図１７】図１６に示す被設置体２２ｂに図１に示す商品陳列棚セット１０Ａが設置される様子を示す図である。
【図１８】本発明の商品陳列棚セットが設置される被設置体の形態例の模式的な斜視図である。
【図１９】図１８に示す被設置体２２ｃに商品陳列棚１ｆ、１ｇが設置される様子を示す図である。
【図２０】商品陳列棚セット１０Ｂが被設置体の形態例に設置されている様子を示す模式的な平面図である。
【図２１】商品陳列棚セット１０Ｂが被設置体の形態例に設置されている様子を示す模式図である。
【図２２】商品陳列棚セット１０Ｂの設置手順の形態例を示す図である。
【図２３Ａ】商品陳列棚の形態例を示す模式図である。
【図２３Ｂ】商品陳列棚の形態例を示す模式図である。
【図２４】図２３に示す商品陳列棚１ｅが、被設置体に設置されている様子を示す断面図である。
【図２５】図２３に示す商品陳列棚１ｅが、被設置体に設置されている様子を示す断面図である。
【図２６】従来の商品陳列棚を示す模式図である。
【図２７】従来の商品陳列棚を示す模式図である。
【図２８】従来の商品陳列台を示す模式図である。
【図２９】従来の商品陳列台を示す模式図である。
【考案を実施するための形態】
【００１０】
本発明の商品陳列棚セットについて、図１〜図１５を参照して説明する。図１は、本発明の商品陳列棚セットの第一の形態例の模式的な平面図である。図２は、図１の商品陳列棚セットの斜視図である。図３〜図６は、図１中の第一商品陳列棚の図であり、図３は正面図、図４は左側面図、図５は右側面図、図６は背面図である。図７は、本発明の商品陳列棚セットの第二の形態例の模式的な平面図である。図８は、図７の商品陳列棚セットの斜視図である。図９〜図１２は、図７中の第一商品陳列棚の図であり、図９は正面図、図１０は左側面図、図１１は右側面図、図１２は背面図である。図１３は、本発明の商品陳列棚セットが設置される被設置体の形態例の模式的な斜視図である。図１４及び図１５は、図１３に示す被設置体２２ａに図１に示す商品陳列棚セット１０Ａが設置される様子を示す図であり、図１４は斜視図、図１５は平面図であり、図１５（ａ）は商品陳列棚セットが設置される前の図であり、図１５（ｂ）は商品陳列棚セットが設置されているときの図である。
【００１１】
図１及び図２に示すように、本発明の第一の形態例である商品陳列棚セット１０Ａは、第一商品陳列棚１ａ及び第二商品陳列棚１ｂからなる。そして、図１〜図６に示すように、第一商品陳列棚１ａは、陳列面を平面視したときに（陳列面を上から見たときに）、陳列面の外縁が、コ字状の外縁部２ａと、コ字状の外縁部２ａの一端側の第一商品陳列棚対向外縁部３ａと、コ字状の外縁部２ａの他端側の第二商品陳列棚対向外縁部４ａと、第一陳列面前側外縁部５ａと、第二陳列面前側外縁部６ａと、第三陳列面前側外縁部７ａと、からなる陳列面１６ａを有する。また、第二商品陳列棚１ｂは、陳列面を平面視したときに、陳列面の外縁が、コ字状の外縁部２ｂと、コ字状の外縁部２ｂの一端側の第一商品陳列棚対向外縁部３ｂと、コ字状の外縁部２ｂの他端側の第二商品陳列棚対向外縁部４ｂと、第一陳列面前側外縁部５ｂと、第二陳列面前側外縁部６ｂと、第三陳列面前側外縁部７ｂと、からなる陳列面１６ｂを有する。
【００１２】
第一商品陳列棚１ａにおいて、コ字状の外縁部２ａは、コ字の第一辺１１ａと、第一辺１１ａに対し垂直な第三辺１３ａと、第三辺１３ａに対し垂直且つ第一辺１１ａに平行な第二辺１２ａと、からなることにより、コ字状の外縁部となっている。また、第二商品陳列棚１ｂにおいて、コ字状の外縁部２ｂは、コ字の第一辺１１ｂと、第一辺１１ｂに対し垂直な第三辺１３ｂと、第三辺１３ｂに対し垂直且つ第一辺１１ｂに平行な第二辺１２ｂと、からなることにより、コ字状の外縁部となっている。
【００１３】
第一商品陳列棚１ａのコ字状の外縁部２ａの一端側（コ字の第一辺１１ａ側）には、第一商品陳列棚対向外縁部３ａがあり、第二商品陳列棚１ｂのコ字状の外縁部２ｂの一端側（コ字の第一辺１１ｂ側）には、第一商品陳列棚対向外縁部３ｂがあり、且つ、第一商品陳列棚対向外縁部３ａと第一商品陳列棚対向外縁部３ｂは同じ形状である。また、第一商品陳列棚１ａのコ字状の外縁部２ａの他端側（コ字の第二辺１２ａ側）には、第二商品陳列棚対向外縁部４ａがあり、第二商品陳列棚１ｂのコ字状の外縁部２ｂの他端側（コ字の第二辺１２ｂ側）には、第二商品陳列棚対向外縁部４ｂがあり、且つ、第二商品陳列棚対向外縁部４ａと第二商品陳列棚対向外縁部４ｂは同じ形状である。第一商品陳列棚対向外縁部３ａ、第一商品陳列棚対向外縁部３ｂ、第二商品陳列棚対向外縁部４ａ、及び第二商品陳列棚対向外縁部４ｂは、いずれも直線状である。
【００１４】
第一商品陳列棚１ａの第一陳列面前側外縁部５ａ、第二陳列面前側外縁部６ａ及び第三陳列面前側外縁部７ａは、いずれも直線状であり、第三陳列面前側外縁部７ａは第一陳列面前側外縁部５ａに対し垂直であり、第二陳列面前側外縁部６ａは第三陳列面前側外縁部７ａに対し垂直であり且つ第一陳列面前側外縁部５ａに平行である。また、第二商品陳列棚１ｂの第一陳列面前側外縁部５ｂ、第二陳列面前側外縁部６ｂ及び第三陳列面前側外縁部７ｂは、いずれも直線状であり、第三陳列面前側外縁部７ｂは第一陳列面前側外縁部５ｂに対し垂直であり、第二陳列面前側外縁部６ｂは第三陳列面前側外縁部７ｂに対し垂直であり且つ第一陳列面前側外縁部５ｂに平行である。
【００１５】
第一商品陳列棚１ａの第一陳列面前側外縁部５ａ、第二陳列面前側外縁部６ａ及び第三陳列面前側外縁部７ａは、第一商品陳列棚１ａを被設置体に設置したときに、陳列面１６ａの前側の外縁部、つまり、陳列商品の観者側の外縁部となる。そして、第一陳列面前側外縁部５ａと第一辺１１ａ、第二陳列面前側外縁部６ａと第二辺１２ａ、第三陳列面前側外縁部７ａと第三辺１３ａが、それぞれ、陳列面１６ａの各部位での前側と後側に対応する。また、第二商品陳列棚１ｂの第一陳列面前側外縁部５ｂ、第二陳列面前側外縁部６ｂ及び第三陳列面前側外縁部７ｂは、第二商品陳列棚１ｂを被設置体に設置したときに、陳列面１６ｂの前側の外縁部、つまり、陳列商品の観者側の外縁部となる。そして、第一陳列面前側外縁部５ｂと第一辺１１ｂ、第二陳列面前側外縁部６ｂと第二辺１２ｂ、第三陳列面前側外縁部７ｂと第三辺１３ｂが、それぞれ、陳列面１６ｂの各部位での前側と後側に対応する。
【００１６】
第一商品陳列棚１ａには、第一商品陳列棚１ａを、被設置体に設置するためのフック１５ａが付設されている。また、第二商品陳列棚１ｂには、商品陳列棚１ｂを、被設置体に設置するためのフック１５ｂが付設されている。
【００１７】
図７及び図８に示すように、本発明の第二の形態例である商品陳列棚セット１０Ｂは、第一商品陳列棚１ｃ及び第二商品陳列棚１ｄからなる。そして、図７〜図１２に示すように、第一商品陳列棚１ｃは、陳列面を平面視したときに（陳列面を上から見たときに）、陳列面の外縁が、コ字状の外縁部２ｃと、コ字状の外縁部２ｃの一端側の第一商品陳列棚対向外縁部３ｃと、コ字状の外縁部２ｃの他端側の第二商品陳列棚対向外縁部４ｃと、第一陳列面前側外縁部５ｃと、第二陳列面前側外縁部６ｃと、第三陳列面前側外縁部７ｃと、からなる陳列面１６ｃを有する。また、第二商品陳列棚１ｄは、陳列面を平面視したときに、陳列面の外縁が、コ字状の外縁部２ｄと、コ字状の外縁部２ｄの一端側の第一商品陳列棚対向外縁部３ｄと、コ字状の外縁部２ｄの他端側の第二商品陳列棚対向外縁部４ｄと、第一陳列面前側外縁部５ｄと、第二陳列面前側外縁部６ｄと、第三陳列面前側外縁部７ｄと、からなる陳列面１６ｄを有する。
【００１８】
第一商品陳列棚１ｃにおいて、コ字状の外縁部２ｃは、コ字の第一辺１１ｃと、第一辺１１ｃに対し垂直な第三辺１３ｃと、第三辺１３ｃに対し垂直且つ第一辺１１ｃに平行な第二辺１２ｃと、からなることにより、コ字状の外縁部となっている。また、第二商品陳列棚１ｄにおいて、コ字状の外縁部２ｄは、コ字の第一辺１１ｄと、第一辺１１ｄに対し垂直な第三辺１３ｄと、第三辺１３ｄに対し垂直且つ第一辺１１ｄに平行な第二辺１２ｄと、からなることにより、コ字状の外縁部となっている。
【００１９】
第一商品陳列棚１ｃのコ字状の外縁部２ｃの一端側（コ字の第一辺１１ｃ側）には、第一商品陳列棚対向外縁部３ｃがあり、第二商品陳列棚１ｄのコ字状の外縁部２ｄの一端側（コ字の第一辺１１ｄ側）には、第一商品陳列棚対向外縁部３ｄがあり、且つ、第一商品陳列棚対向外縁部３ｃと第二商品陳列棚対向外縁部３ｄは同じ形状である。また、第一商品陳列棚１ｃのコ字状の外縁部２ｃの他端側（コ字の第二辺１２ｃ側）には、第二商品陳列棚対向外縁部４ｃがあり、第二商品陳列棚１ｄのコ字状の外縁部２ｄの他端側（コ字の第二辺１２ｄ側）には、第二商品陳列棚対向外縁部４ｄがあり、且つ、第二商品陳列棚対向外縁部４ｃと第二商品陳列棚対向外縁部４ｄは同じ形状である。第一商品陳列棚対向外縁部３ｃ、第一商品陳列棚対向外縁部３ｄ、第二商品陳列棚対向外縁部４ｃ、及び第二商品陳列棚対向外縁部４ｄは、いずれも弧状である。
【００２０】
第一商品陳列棚１ｃの第三陳列面前側外縁部７ｃ、及び第二商品陳列棚１ｄの第三陳列面前側外縁部７ｄは、いずれも、同じ形状の２つの孤が点対称に連結している逆Ｓ字状の形状であり、第一商品陳列棚１ｃの第三陳列面前側外縁部７ｃと、第二商品陳列棚１ｄの第三陳列面前側外縁部７ｄは、同じ形状である。第一商品陳列棚１ｃの第一陳列面前側外縁部５ｃと第二商品陳列棚１ｄの第一陳列面前側外縁部５ｄとにより形成される形状、及び第一商品陳列棚１ｃの第二陳列面前側外縁部６ｃと第二商品陳列棚１ｄの第二陳列面前側外縁部６ｄとにより形成される形状は、いずれも、同じ形状の２つの孤が点対称に連結しているＳ字状の形状であり、第一商品陳列棚１ｃの第一陳列面前側外縁部５ｃと第二商品陳列棚１ｄの第一陳列面前側外縁部５ｄとにより形成される形状と、第一商品陳列棚１ｃの第二陳列面前側外縁部６ｃと第二商品陳列棚１ｄの第二陳列面前側外縁部６ｄとにより形成される形状は、同じである。そして、第一商品陳列棚１ｃの第三陳列面前側外縁部７ｃの形状及び第二商品陳列棚１ｄの第三陳列面前側外縁部７ｄの形状と、第一商品陳列棚１ｃの第一陳列面前側外縁部５ｃと第二商品陳列棚１ｄの第一陳列面前側外縁部５ｄとにより形成される形状及び第一商品陳列棚１ｃの第二陳列面前側外縁部６ｃと第二商品陳列棚１ｄの第二陳列面前側外縁部６ｄとにより形成される形状とは、線対称な形状である。なお、本発明において、第一商品陳列棚の第一陳列面前側外縁部と第二商品陳列棚の第一陳列面前側外縁部とにより形成される形状とは、第一商品陳列棚の第一商品陳列棚対向外縁部と第二商品陳列棚の第一商品陳列棚対向外縁部、第一商品陳列棚の第二商品陳列棚対向外縁部と第二商品陳列棚の第二商品陳列棚対向外縁部を、それぞれ向い合せにしたときに、第一商品陳列棚の第一陳列面前側外縁部と第二商品陳列棚の第一陳列面前側外縁部により形成される形状である。第一商品陳列棚の第二陳列面前側外縁部と第二商品陳列棚の第二陳列面前側外縁部とにより形成される形状についても、同様である。
【００２１】
第一商品陳列棚１ｃの第一陳列面前側外縁部５ｃ、第二陳列面前側外縁部６ｃ及び第三陳列面前側外縁部７ｃは、第一商品陳列棚１ｃを被設置体に設置したときに、陳列面１６ｃの前側の外縁部、つまり、陳列商品の観者側の外縁部となる。そして、第一陳列面前側外縁部５ｃと第一辺１１ｃ、第二陳列面前側外縁部６ｃと第二辺１２ｃ、第三陳列面前側外縁部７ｃと第三辺１３ｃが、それぞれ、陳列面１６ｃの各部位での前側と後側に対応する。また、第二商品陳列棚１ｄの第一陳列面前側外縁部５ｄ、第二陳列面前側外縁部６ｄ及び第三陳列面前側外縁部７ｄは、第二商品陳列棚１ｄを被設置体に設置したときに、陳列面１６ｄの前側の外縁部、つまり、陳列商品の観者側の外縁部となる。そして、第一陳列面前側外縁部５ｄと第一辺１１ｄ、第二陳列面前側外縁部６ｄと第二辺１２ｄ、第三陳列面前側外縁部７ｄと第三辺１３ｄが、それぞれ、陳列面１６ｄの各部位での前側と後側に対応する。
【００２２】
第一商品陳列棚１ｃには、第一商品陳列棚１ｃを、被設置体に設置するためのフック１５ｃが付設されている。また、第二商品陳列棚１ｄには、第二商品陳列棚１ｄを、被設置体に設置するためのフック１５ｄが付設されている。
【００２３】
第一商品陳列棚１ｃの第一商品陳列棚対向外縁部３ｃの形状が、第一商品陳列棚１ｃの第二陳列面前側外縁部６ｃの第三陳列面前側外縁部７ｃ側の部分と同じであり、且つ、第二商品陳列棚１ｄの第一陳列面前側外縁部５ｄの第三陳列面前側外縁部７ｄ側の部分と同じである。また、第一商品陳列棚１ｃの第二商品陳列棚対向外縁部４ｃの形状が、第一商品陳列棚１ｃの第一陳列面前側外縁部５ｃの第三陳列面前側外縁部７ｃ側の部分と同じであり、且つ、第二商品陳列棚１ｄの第二陳列面前側外縁部６ｄの第三陳列面前側外縁部７ｄ側の部分と同じである。また、第二商品陳列棚１ｄの第一商品陳列棚対向外縁部３ｄの形状が、第一商品陳列棚１ｃの第一陳列面前側外縁部５ｃの第三陳列面前側外縁部７ｃ側の部分と同じであり、且つ、第二商品陳列棚１ｄの第二陳列面前側外縁部６ｄの第三陳列面前側外縁部７ｄ側の部分と同じである。また、第二商品陳列棚１ｄの第二商品陳列棚対向外縁部４ｄの形状が、第一商品陳列棚１ｃの第二陳列面前側外縁部６ｃの第三陳列面前側外縁部７ｃ側の部分と同じであり、且つ、第二商品陳列棚１ｄの第一陳列面前側外縁部５ｄの第三陳列面前側外縁部７ｄ側の部分と同じである。
【００２４】
図１３は、本発明の商品陳列棚セットが設置される被設置体の形態例の模式的な斜視図である。図１４及び図１５は、図１３に示す被設置体２２ａに図１に示す商品陳列棚セット１０Ａが設置される様子を示す図であり、図１４は斜視図であり、図１５は平面図である。図１３に示すように、商品陳列棚セット１０Ａが設置される被設置体２２ａは、水平断面が正方形である四角柱状の柱である。被設置体２２ａの壁面には、第一商品陳列棚１ａのフック１５ａが係合する係合凹部２１ａが形成されている。また、図には表れていないが、被設置体２２ａの係合凹部２１ａが形成されている壁面とは反対側の壁面には、第二商品陳列棚１ｂのフック１５ｂが係合する係合凹部が形成されている。
【００２５】
そして、図１４及び図１５に示すように、第一商品陳列棚１ａ及び第二商品陳列棚１ｂが、被設置体２２ａを挟み込むように、被設置体２２ａに設置される。このことにより、被設置体２２ａを水平方向に一周囲むように、陳列面が形成される。外縁部に着目すると、第一商品陳列棚１ａの第一商品陳列棚対向外縁部３ａと第二商品陳列棚１ｂの第一商品陳列棚対向外縁部３ｂとを向かい合わせにし、且つ、第一商品陳列棚１ａの第二商品陳列棚対向外縁部４ａと第二商品陳列棚１ｂの第二商品陳列棚対向外縁部４ｂとを向かい合わせにして、第一商品陳列棚１ａと第二商品陳列棚１ｂを被設置体２２ａに設置することにより、第一商品陳列棚１ａのコ字状の外縁部２ａ及び第二商品陳列棚１ｂのコ字状の外縁部２ｂが、被設置体２２ａを水平方向に１周囲むように、第一商品陳列棚１ａと第二商品陳列棚１ｂが被設置体２２ａに設置可能になっている。このとき、第一商品陳列棚１ａのコ字状の外縁部２ａと第二商品陳列棚１ｂのコ字状の外縁部２ｂとのより形成される形状、言い換えると、被設置体２２ａを囲む外縁部の形状は、正方形である。商品陳列棚セット１０Ｂについても同様である。
【００２６】
商品陳列棚セット１０Ａでは、第一商品陳列棚対向外縁部３ａと第一商品陳列棚対向外縁部３ｂが同じ形状であり、第二商品陳列棚対向外縁部４ａと第二商品陳列棚対向外縁部４ｂが同じ形状であるので、第一商品陳列棚１ａの第一商品陳列棚対向外縁部３ａと第二商品陳列棚１ｂの第一商品陳列棚対向外縁部３ｂとを向かい合わせにし、第一商品陳列棚１ａの第二商品陳列棚対向外縁部４ａと第二商品陳列棚１ｂの第二商品陳列棚対向外縁部４ｂとを向かい合わせにすることができる。そして、第一商品陳列棚１ａの第一商品陳列棚対向外縁部３ａと第二商品陳列棚１ｂの第一商品陳列棚対向外縁部３ｂとを向かい合わせにし、第一商品陳列棚１ａの第二商品陳列棚対向外縁部４ａと第二商品陳列棚１ｂの第二商品陳列棚対向外縁部４ｂとを向かい合わせにし、且つ、第一商品陳列棚１ａのコ字状の外縁部２ａ及び第二商品陳列棚１ｂのコ字状の外縁部２ｂが、被設置体２２ａを水平方向に囲むようにようにして、第一商品陳列棚１ａ及び第二商品陳列棚１ｂが被設置体２２ａに設置されることにより、同じ高さで被設置体２２ａを１周囲む陳列面１９ａが、被設置体２２ａに形成される。陳列面１９ａは、全ての場所が同じ高さなので、被設置体２２ａの周囲の１周に亘って、一体感のある演出効果を生じさせることができる。
【００２７】
加えて、商品陳列棚セット１０Ａでは、第一商品陳列棚対向外縁部３ａと第一商品陳列棚対向外縁部３ｂが同じ形状であり、第二商品陳列棚対向外縁部４ａと第二商品陳列棚対向外縁部４ｂが同じ形状であるので、第一商品陳列棚１ａの第一陳列面前側外縁部５ａと第二商品陳列棚１ｂの第一陳列面前側外縁部５ｂとにより、一続きであるかのような陳列面前側の外縁部が形成され、且つ、第一商品陳列棚１ａの第二陳列面前側外縁部６ａと第二商品陳列棚１ｂの第二陳列面前側外縁部６ｂとにより、一続きであるかような陳列面前側の外縁部が形成される。そのため、図１５（ｂ）に示すように、陳列面１９ａには、第三陳列面前側外縁部７ａが陳列面の手前側となる陳列面部１７１ａ、及び第三陳列面前側外縁部７ｂが陳列面の手前側となる陳列面部１７２ａに加えて、第一陳列面前側外縁部５ａと第一陳列面前側外縁部５ｂとにより形成される外縁部が陳列面の手前側となる陳列面部１７３ａ、及び第二陳列面前側外縁部６ａと第二陳列面前側外縁部６ｂとにより形成される外縁部が陳列面の手前側となる陳列面部１７４ａが形成される。このことから、商品陳列棚セット１０Ａによれば、符号１８ａに示すように、商品陳列の演出効果に４方向の方向性を生じさせることができる。このとき、第三陳列面前側外縁部７ａと、第三陳列面前側外縁部７ｂと、第一陳列面前側外縁部５ａと第一陳列面前側外縁部５ｂとにより形成される外縁部と、第二陳列面前側外縁部６ａと第二陳列面前側外縁部６ｂとにより形成される外縁部と、により形成される形状は、正方形である。
【００２８】
図２０及び図２１は、商品陳列棚セット１０Ｂが被設置体の形態例に設置されている様子を示す模式図であり、図２０は平面図であり、図２１（ａ）は斜視図であり、図２１（ｂ）は正面図である。図２０及び図２１に示すように、商品陳列棚セット１０Ｂの場合、第一商品陳列棚１ｃ及び第二商品陳列棚１ｄが、被設置体２２ｄを挟み込むように、被設置体２２ｄに設置される。このことにより、被設置体２２ｄを水平方向に１周囲むように、陳列面が形成される。外縁部に着目すると、第一商品陳列棚１ｃの第一商品陳列棚対向外縁部３ｃと第二商品陳列棚１ｄの第一商品陳列棚対向外縁部３ｄとを向かい合わせにし、且つ、第一商品陳列棚１ｃの第二商品陳列棚対向外縁部４ｃと第二商品陳列棚１ｄの第二商品陳列棚対向外縁部４ｄとを向かい合わせにして、第一商品陳列棚１ｃと第二商品陳列棚１ｄを被設置体２２ｄに設置することにより、第一商品陳列棚１ｃのコ字状の外縁部２ｃ及び第二商品陳列棚１ｄのコ字状の外縁部２ｄが、被設置体２２ｄを水平方向に１周囲むように、第一商品陳列棚１ｃと第二商品陳列棚１ｄが被設置体２２ｄに設置可能になっている。このとき、第一商品陳列棚１ｃのコ字状の外縁部２ｃと第二商品陳列棚１ｄのコ字状の外縁部２ｄとのより形成される、被設置体２２ｄを囲む外縁部の形状は、正方形である。
【００２９】
商品陳列棚セット１０Ｂでは、第一商品陳列棚対向外縁部３ｃと第一商品陳列棚対向外縁部３ｄが同じ形状であり、第二商品陳列棚対向外縁部４ｃと第二商品陳列棚対向外縁部４ｄが同じ形状であるので、第一商品陳列棚１ｃの第一商品陳列棚対向外縁部３ｃと第二商品陳列棚１ｄの第一商品陳列棚対向外縁部３ｄとを向かい合わせにし、第一商品陳列棚１ｃの第二商品陳列棚対向外縁部４ｃと第二商品陳列棚１ｄの第二商品陳列棚対向外縁部４ｄとを向かい合わせにすることができる。そして、第一商品陳列棚１ｃの第一商品陳列棚対向外縁部３ｃと第二商品陳列棚１ｄの第一商品陳列棚対向外縁部３ｄとを向かい合わせにし、第一商品陳列棚１ｃの第二商品陳列棚対向外縁部４ｃと第二商品陳列棚１ｄの第二商品陳列棚対向外縁部４ｄとを向かい合わせにし、且つ、第一商品陳列棚１ｃのコ字状の外縁部２ｃ及び第二商品陳列棚１ｄのコ字状の外縁部２ｄが、被設置体２２ｄを水平方向に１周囲むようにようにして、第一商品陳列棚１ｃ及び第二商品陳列棚１ｄが被設置体２２ｄに設置されることにより、同じ高さで被設置体２２ｄを１周囲む陳列面１９ｂが、被設置体２２ｄに形成される。陳列面１９ｂは、全ての場所が同じ高さなので、被設置体２２ｄの周囲の１周に亘って、一体感のある演出効果を生じさせることができる。
【００３０】
加えて、商品陳列棚セット１０Ｂでは、第一商品陳列棚対向外縁部３ｃと第一商品陳列棚対向外縁部３ｄが同じ形状であり、第二商品陳列棚対向外縁部４ｃと第二商品陳列棚対向外縁部４ｄが同じ形状であるので、第一商品陳列棚１ｃの第一陳列面前側外縁部５ｃと第二商品陳列棚１ｄの第一陳列面前側外縁部５ｄとにより、一続きであるかのような陳列面前側の外縁部が形成され、且つ、第一商品陳列棚１ｃの第二陳列面前側外縁部６ｃと第二商品陳列棚１ｄの第二陳列面前側外縁部６ｄとにより、一続きであるかような陳列面前側の外縁部が形成される。そのため、図２０に示すように、陳列面１９ｂには、第三陳列面前側外縁部７ｃが陳列面の手前側となる陳列面部１７１ｂ、及び第三陳列面前側外縁部７ｄが陳列面の手前側となる陳列面部１７２ｂに加えて、第一陳列面前側外縁部５ｃと第一陳列面前側外縁部５ｄとにより形成される外縁部が陳列面の手前側となる陳列面部１７３ｂ、及び第二陳列面前側外縁部６ｃと第二陳列面前側外縁部６ｄとにより形成される外縁部が陳列面の手前側となる陳列面部１７４ｂが形成される。このことから、商品陳列棚セット１０Ｂによれば、符号１８ｂに示すように、商品陳列の演出効果に４方向の方向性を生じさせることができる。このとき、第三陳列面前側外縁部７ｃと、第三陳列面前側外縁部７ｄと、第一陳列面前側外縁部５ｃと第一陳列面前側外縁部５ｄとにより形成される外縁部と、第二陳列面前側外縁部６ｃと第二陳列面前側外縁部６ｄとにより形成される外縁部と、により形成される形状は、Ｓ字状と逆Ｓ字状とで４方向を囲んだ形状である。
【００３１】
本発明の商品陳列棚セットは、第一商品陳列棚及び第二商品陳列棚からなる商品陳列棚セットであり、
該第一商品陳列棚及び該第二商品陳列棚は、陳列面を平面視したときに、陳列面の外縁が、コ字状の外縁部と、該コ字状の外縁部の一端側の第一商品陳列棚対向外縁部と、該コ字状の外縁部の他端側の第二商品陳列棚対向外縁部と、第一陳列面前側外縁部と、第二陳列面前側外縁部と、第三陳列面前側外縁部と、からなる陳列面を有し、
該第一商品陳列棚の第一商品陳列棚対向外縁部の形状と該第二商品陳列棚の第一商品陳列棚対向外縁部の形状が同じであり、且つ、該第一商品陳列棚の第二商品陳列棚対向外縁部の形状と該第二商品陳列棚の第二商品陳列棚対向外縁部の形状が同じであり、
該第一商品陳列棚の第一商品陳列棚対向外縁部と該第二商品陳列棚の第一商品陳列棚対向外縁部とが向かい合わせになり、該第一商品陳列棚の第二商品陳列棚対向外縁部と該第二商品陳列棚の第二商品陳列棚対向外縁部とが向かい合わせになり、且つ、該第一商品陳列棚のコ字状の外縁部及び該第二商品陳列棚のコ字状の外縁部が、被設置体の周囲を囲むように、被設置体に設置可能であること、
を特徴とする商品陳列棚セットである。
【００３２】
本発明の商品陳列棚セットは、第一商品陳列棚及び第二商品陳列棚からなる。そして、第一商品陳列棚及び第二商品陳列棚は、いずれも、陳列面を平面視したときに（陳列面を上から見たときに）、陳列面の外縁が、コ字状の外縁部と、コ字状の外縁部の一端側の第一商品陳列棚対向外縁部と、コ字状の外縁部の他端側の第二商品陳列棚対向外縁部と、第一陳列面前側外縁部と、第二陳列面前側外縁部と、第三陳列面前側外縁部と、からなる陳列面を有する。
【００３３】
第一商品陳列棚及び第二商品陳列棚では、いずれも、コ字状の外縁部は、コ字の第一辺と、第一辺に対し垂直な第三辺と、第三辺に対し垂直且つ第一辺に平行な第二辺と、からなることにより、コ字状の外縁部となっている。そして、第一商品陳列棚及び第二商品陳列棚が、被設置体に設置されることにより形成される形状は、すなわち、第一商品陳列棚のコ字状の外縁部と、第二商品陳列棚のコ字状の外縁部とにより形成される形状は、正方形又は長方形である。第一商品陳列棚及び第二商品陳列棚のコ字状の外縁部の形状は、被設置体の水平断面の形状により、適宜選択される。
【００３４】
第一商品陳列棚及び第二商品陳列棚では、いずれも、コ字状の外縁部の一端側（コ字の第一辺側）には、第一商品陳列棚対向外縁部があり、且つ、第一商品陳列棚の第一商品陳列棚対向外縁部と第二商品陳列棚の第一商品陳列棚対向外縁部は同じ形状である。また、第一商品陳列棚及び第二商品陳列棚では、いずれも、コ字状の外縁部の他端側（コ字の第二辺側）には、第二商品陳列棚対向外縁部があり、且つ、第一商品陳列棚の第二商品陳列棚対向外縁部と第二商品陳列棚の第二商品陳列棚対向外縁部は同じ形状である。
【００３５】
第一商品陳列棚の第一商品陳列棚対向外縁部、第二商品陳列棚の第一商品陳列棚対向外縁部、第一商品陳列棚の第二商品陳列棚対向外縁部、及び第二商品陳列棚の第二商品陳列棚対向外縁部の形状は、特に制限されず、例えば、商品陳列棚セット１０Ａのような直線状の形状、商品陳列棚セット１０Ｂのような弧状の形状が挙げられる。
【００３６】
第一商品陳列棚及び第二商品陳列棚の第一陳列面前側外縁部、第二陳列面前側外縁部及び第三陳列面前側外縁部の形状は、特に制限されず、被設置体の周囲に形成させる陳列面全体の外縁の形状（平面視したときの陳列面全体の外縁の形状）、被設置体の水平断面の形状等により、適宜選択される。例えば、第一商品陳列棚及び第二商品陳列棚の第一陳列面前側外縁部、第二陳列面前側外縁部及び第三陳列面前側外縁部の形状が、いずれも直線状であり、第一商品陳列棚及び第二商品陳列棚の第一陳列面前側外縁部と、第二陳列面前側外縁部と、第三陳列面前側外縁部と、により形成される陳列面全体の外縁の形状が、正方形又は長方形である形態例が挙げられる。また、例えば、第一商品陳列棚の第三陳列面前側外縁部及び第二商品陳列棚の第三陳列面前側外縁部の形状が、いずれも、同じ形状の２つの孤が点対称に連結している逆Ｓ字状の形状であり、第一商品陳列棚の第三陳列面前側外縁部の形状と、第二商品陳列棚の第三陳列面前側外縁部の形状が、同じであり、且つ、第一商品陳列棚の第一陳列面前側外縁部と第二商品陳列棚の第一陳列面前側外縁部とにより形成される形状及び第一商品陳列棚の第二陳列面前側外縁部と第二商品陳列棚の第二陳列面前側外縁部とにより形成される形状が、いずれも、同じ形状の２つの孤が点対称に連結しているＳ字状の形状であり、第一商品陳列棚の第一陳列面前側外縁部と第二商品陳列棚の第一陳列面前側外縁部とにより形成される形状と、第一商品陳列棚の第二陳列面前側外縁部と第二商品陳列棚の第二陳列面前側外縁部とにより形成される形状が、同じであり、且つ、第一商品陳列棚の第三陳列面前側外縁部及び第二商品陳列棚の第三陳列面前側外縁部の形状と、第一商品陳列棚の第一陳列面前側外縁部と第二商品陳列棚の第一陳列面前側外縁部とにより形成される形状及び第一商品陳列棚の第二陳列面前側外縁部と第二商品陳列棚の第二陳列面前側外縁部とにより形成される形状とが、線対称である形態例が挙げられる。また、例えば、第一商品陳列棚の第三陳列面前側外縁部及び第二商品陳列棚の第三陳列面前側外縁部の形状が、いずれも、同じ形状の２つの孤が点対称に連結しているＳ字状の形状であり、第一商品陳列棚の第三陳列面前側外縁部の形状と、第二商品陳列棚の第三陳列面前側外縁部の形状が、同じであり、且つ、第一商品陳列棚の第一陳列面前側外縁部と第二商品陳列棚の第一陳列面前側外縁部とにより形成される形状及び第一商品陳列棚の第二陳列面前側外縁部と第二商品陳列棚の第二陳列面前側外縁部とにより形成される形状が、いずれも、同じ形状の２つの孤が点対称に連結している逆Ｓ字状の形状であり、第一商品陳列棚の第一陳列面前側外縁部と第二商品陳列棚の第一陳列面前側外縁部とにより形成される形状と、第一商品陳列棚の第二陳列面前側外縁部と第二商品陳列棚の第二陳列面前側外縁部とにより形成される形状が、同じであり、且つ、第一商品陳列棚の第三陳列面前側外縁部及び第二商品陳列棚の第三陳列面前側外縁部の形状と、第一商品陳列棚の第一陳列面前側外縁部と第二商品陳列棚の第一陳列面前側外縁部とにより形成される形状及び第一商品陳列棚の第二陳列面前側外縁部と第二商品陳列棚の第二陳列面前側外縁部とにより形成される形状とが、線対称である形態例が挙げられる。また、第一商品陳列棚及び第二商品陳列棚の第一陳列面前側外縁部と、第二陳列面前側外縁部と、第三陳列面前側外縁部と、により形成される他の形状としては、本発明の効果を損なわない範囲で、適宜選択される。
【００３７】
第一商品陳列棚及び第二商品陳列棚の第一陳列面前側外縁部、第二陳列面前側外縁部及び第三陳列面前側外縁部は、第一商品陳列棚及び第二商品陳列棚を被設置体に設置したときに、陳列面の前側の外縁部、つまり、陳列商品の観者側の外縁部となる。そして、第一陳列面前側外縁部とコ字状の外縁部の第一辺、第二陳列面前側外縁部とコ字状の外縁部の第二辺、第三陳列面前側外縁部とコ字状の外縁部の第三辺が、それぞれ、陳列面の各部位での前側と後側に対応する。
【００３８】
第一商品陳列棚の第一商品陳列棚対向外縁部が、第一商品陳列棚の第二陳列面前側外縁部の第三陳列面前側外縁部側の部分及び第二商品陳列棚の第一陳列面前側外縁部の第三陳列面前側外縁部側の部分と同じであり、且つ、第一商品陳列棚の第二商品陳列棚対向外縁部が、第一商品陳列棚の第一陳列面前側外縁部の第三陳列面前側外縁部側の部分及び第二商品陳列棚の第二陳列面前側外縁部の第三陳列面前側外縁部側の部分と同じであり、且つ、第二商品陳列棚の第一商品陳列棚対向外縁部が、第一商品陳列棚の第一陳列面前側外縁部の第三陳列面前側外縁部側の部分及び第二商品陳列棚の第二陳列面前側外縁部の第三陳列面前側外縁部側の部分と同じであり、且つ、第二商品陳列棚の第二商品陳列棚対向外縁部が、第一商品陳列棚の第二陳列面前側外縁部の第三陳列面前側外縁部側の部分及び第二商品陳列棚の第一陳列面前側外縁部の第三陳列面前側外縁部側の部分と同じであることが、好ましい。このような形態によれば、２セット以上の本発明の陳列棚セットを組み合わせる場合に、１セット目の本発明の商品陳列棚セットを、第一商品陳列棚の第一商品陳列棚対向外縁部と第二商品陳列棚の第一商品陳列棚対向外縁部とを向かい合わせにし、第一商品陳列棚の第二商品陳列棚対向外縁部と第二商品陳列棚の第二商品陳列棚対向外縁部とを向かい合わせになるように被設置体に設置し、更に、２セット目の第一商品陳列棚の第一商品陳列棚対向外縁部を、１セット目の第一商品陳列棚の第二陳列面前側外縁部の第三陳列面前側外縁部側の部分に向かい合わせにし、且つ、２セット目の第一商品陳列棚の第二商品陳列棚対向外縁部を、１セット目の第二商品陳列棚の第二陳列面前側外縁部の第三陳列面前側外縁部側の部分に向かい合わせにすることや、２セット目の第一商品陳列棚の第一商品陳列棚対向外縁部を、１セット目の第二商品陳列棚の第一陳列面前側外縁部の第三陳列面前側外縁部側の部分に向かい合わせにし、且つ、２セット目の第一商品陳列棚の第二商品陳列棚対向外縁部を、１セット目の第一商品陳列棚の第一陳列面前側外縁部の第三陳列面前側外縁部側の部分に向かい合わせにすることや、２セット目の第二商品陳列棚の第一商品陳列棚対向外縁部を、１セット目の第二商品陳列棚の第二陳列面前側外縁部の第三陳列面前側外縁部側の部分に向かい合わせにし、且つ、２セット目の第二商品陳列棚の第二商品陳列棚対向外縁部を、１セット目の第一商品陳列棚の第二陳列面前側外縁部の第三陳列面前側外縁部側の部分に向かい合わせにすることや、２セット目の第二商品陳列棚の第一商品陳列棚対向外縁部を、１セット目の第一商品陳列棚の第一陳列面前側外縁部の第三陳列面前側外縁部側の部分に向かい合わせにし、且つ、２セット目の第二商品陳列棚の第二商品陳列棚対向外縁部を、１セット目の第二商品陳列棚の第一陳列面前側外縁部の第三陳列面前側外縁部側の部分に向かい合わせにすることができるので、一体感のある陳列面を拡張することができる。
【００３９】
本発明の商品陳列棚セットは、第一商品陳列棚及び第二商品陳列棚が、水平断面が正方形又は長方形の被設置体を挟み込むようにして、被設置体に設置される。このことにより、被設置体を水平方向に１周囲むように陳列面が形成される。外縁部に着目すると、第一商品陳列棚の第一商品陳列棚対向外縁部と第二商品陳列棚の第一商品陳列棚対向外縁部とを向かい合わせにし、且つ、第一商品陳列棚の第二商品陳列棚対向外縁部と第二商品陳列棚の第二商品陳列棚対向外縁部とを向かい合わせにして、第一商品陳列棚と第二商品陳列棚を水平断面が正方形又は長方形の被設置体に設置することにより、第一商品陳列棚のコ字状の外縁部及び第二商品陳列棚のコ字状の外縁部が、被設置体を水平方向に１周囲むように、第一商品陳列棚と第二商品陳列棚が被設置体に設置可能になっている。このとき、第一商品陳列棚のコ字状の外縁部と第二商品陳列棚のコ字状の外縁部とのより形成される、被設置体を囲む外縁部の形状は、正方形又は長方形であり、被設置体の形状により適宜選択される。
【００４０】
本発明の商品陳列棚セットでは、第一商品陳列棚の第一商品陳列棚対向外縁部と第二商品陳列棚の第一商品陳列棚対向外縁部が同じ形状であり、第一商品陳列棚の第二商品陳列棚対向外縁部と第二商品陳列棚の第二商品陳列棚対向外縁部が同じ形状であるので、第一商品陳列棚の第一商品陳列棚対向外縁部と第二商品陳列棚の第一商品陳列棚対向外縁部とを向かい合わせにし、第一商品陳列棚の第二商品陳列棚対向外縁部と第二商品陳列棚の第二商品陳列棚対向外縁部とを向かい合わせにすることができる。そして、第一商品陳列棚の第一商品陳列棚対向外縁部と第二商品陳列棚の第一商品陳列棚対向外縁部とを向かい合わせにし、第一商品陳列棚の第二商品陳列棚対向外縁部と第二商品陳列棚の第二商品陳列棚対向外縁部とを向かい合わせにし、且つ、第一商品陳列棚のコ字状の外縁部及び第二商品陳列棚のコ字状の外縁部が、水平断面が正方形又は長方形である被設置体を囲むように、第一商品陳列棚及び第二商品陳列棚が被設置体に設置されることにより、同じ高さで被設置体を１周囲む陳列面が、被設置体に形成される。そして、被設置体の周りに形成される陳列面は、全ての場所が同じ高さなので、被設置体の周囲の１周に亘って、一体感のある演出効果を生じさせることができる。
【００４１】
加えて、本発明の商品陳列棚セットでは、第一商品陳列棚の第一商品陳列棚対向外縁部と第二商品陳列棚の第一商品陳列棚対向外縁部が同じ形状であり、第一商品陳列棚の第二商品陳列棚対向外縁部と第二商品陳列棚の第二商品陳列棚対向外縁部が同じ形状であるので、第一商品陳列棚の第一陳列面前側外縁部と第二商品陳列棚の第一陳列面前側外縁部とにより、一続きであるかのような陳列面前側の外縁部が形成され、且つ、第一商品陳列棚の第二陳列面前側外縁部と第二商品陳列棚の第二陳列面前側外縁部とにより、一続きであるかような陳列面前側の外縁部が形成される。このことにより、水平断面が正方形又は長方形である被設置体の４つの方向に、第一商品陳列棚の第三陳列面前側外縁部が陳列面の手前側となる陳列面部と、第二商品陳列棚の第三陳列面前側外縁部が陳列面の手前側となる陳列面部と、第一商品陳列棚の第一陳列面前側外縁部と第二商品陳列棚の第一陳列面前側外縁部とにより形成される外縁部が陳列面の手前側となる陳列面部と、第一商品陳列棚の第二陳列面前側外縁部と第二商品陳列棚の第二陳列面前側外縁部とにより形成される外縁部が陳列面の手前側となる陳列面部と、が形成されるので、商品陳列の演出効果に４つの方向性を生じさせることができる。
【００４２】
本発明の商品陳列棚セットが設置される被設置体は、水平断面の形状が正方形又は長方形であるものであれば、特に制限されない。例えば、図１３及び図１８に示す形態例のような四角柱状の柱、壁面用板材が４つの面を形成するように板材を四角柱状に組み立てたもの、線材が正方形又は長方形の周を形成するように加工された線材を、上下方向に多数配置させたもの等が挙げられる。被設置体は、柱のように床及びて天井に固定されているものであっても、床に固定されておらず移動可能なものであってもよい。
【００４３】
第一商品陳列棚及び第二商品陳列棚を、被設置体に設置するため手段としては、特に制限されず、適宜選択される。例えば、第一商品陳列棚及び第二商品陳列棚にフックを付設し、被設置体の壁面にフックが係合する係合凹部を設け、係合凹部にフックを嵌め込む方法、第一商品陳列棚及び第二商品陳列棚にフックを付設し、被設置体を多数の線材が配置されたもので形成し、線材にフックを引っ掛ける方法、係合フックが付設されている棚支持部材を用意し、被設置体の壁面に棚支持部材を設置するための係合凹部を設け、係合凹部に棚支持部材の係合フックを係合させて棚支持部材を被設置体に設置し、棚支持部材の上に第一商品陳列棚及び第二商品陳列棚を置く方法等が挙げられる。
【００４４】
図１６及び図１７に示す被設置体２２ｂは、線材が正方形又は長方形の周を形成するように加工された線材２３ｂを、上下方向に多数配置させたものである。なお、図示しないが、多数の線材２３ｂは、上下に延びる固定部材に固定されている。そして、被設置体２２ｂの線材２３ｂに、第一商品陳列棚１ａのフック１５ａ及び第二商品陳列棚１ｂのフック１５ｂが引っ掛かることにより、第一商品陳列棚１ａ及び第二商品陳列棚１ｂが被陳列体２２ｂに設置される。
【００４５】
図１８及び図１９に示す被設置体２２ｃは、四角柱状の柱であり、壁面に棚支持部材を固定するための係合凹部２１ｃが形成されている。そして、係合凹部２１ｃに、棚支持部材２７の係合フックを係合させて、棚支持部材２７を被設置体２２ｃに固定し、棚支持部材２７の上に、第一商品陳列棚１ａ及び第二商品陳列棚１ｂを載せることにより、被設置体２２ｃに第一商品陳列棚１ａ及び第二商品陳列棚を設置する。
【００４６】
図２０及び図２１に示す被設置体２２ｄは、多数のコ字状に加工された線材２３ｄが、上下に延びる固定部材に固定された被設置体半割体（２４ａ、２４ｂ）２つからなり、被設置体半割体２４ａ、２４ｂを、背合わせしたものである。また、被設置体２２ｄの上下に延びる固定部材の下には、車輪が付設されており、被設置体２２ｄが移動可能となっている。そして、被設置体２２ｄの線材２３ｄに、第一商品陳列棚１ｃのフック及び第二商品陳列棚１ｄのフックが引っ掛かることにより、第一商品陳列棚１ｃ及び第二商品陳列棚１ｄが被陳列体２２ｄに設置される。このとき、第一商品陳列棚１ｃ及び第二商品陳列棚１ｄのコ字状の外縁部の第三辺側の側面が、フックが引っ掛かっている線材２３ｄより１つ下の線材２３ｄに当接している。
【００４７】
図２０及び図２１では、被設置体２２ｄに商品陳列棚セット１０Ｂが多数設置されている。本発明では、被設置体に多数の本発明の商品陳列セットを設置して、上下方向に陳列面を多数並べることができる。
【００４８】
図２２は、商品陳列棚セット１０Ｂの設置手順の形態例を示す図である。本発明では、図２２に示すように、先ず、被設置体半割体２４ａ、２４ｂのそれぞれの設置個所に、第一商品陳列棚１ｃ及び第二商品陳列棚１ｄを設置し、次いで、第一商品陳列棚１ｃが設置された被設置体半割体２４ａと、第二商品陳列棚１ｄが設置された被設置体半割体２４ｂとを背合わせにすることにより、被設置体２２ｄを形成させると共に、第一商品陳列棚１ｃの第一商品陳列棚対向外縁部と第二商品陳列棚１ｄの第一商品陳列棚対向外縁部を向い合せにし、第一商品陳列棚１ｃの第二商品陳列棚対向外縁部と第二商品陳列棚１ｄの第二商品陳列棚対向外縁部を向い合せにして、被設置体２２ｄを水平方向に１周取り囲む陳列面を形成させることができる。
【００４９】
被設置体が、線材が正方形又は長方形の周を形成するように加工された線材を、上下方向に多数配置させたものである場合、本発明の商品陳列棚セットは、図２３に示す形態例のように、コ字状の第三辺側に、線材に引っ掛かることができるフックが付設され、商品陳列棚の底面側且つコ字状の外縁部の第一辺及び第二辺側に、第一辺側の線材と第二辺側の線材が納まる切欠き部が形成されていることが、被設置体に設置されている商品陳列棚が安定する点で好ましい。図２３は、本発明に係る商品陳列棚の形態例を示す模式図であり、（ａ）は平面図であり、（ｂ）は底面図であり、（ｃ）は左側面図であり、（ｄ）は右側面図であり、（ｅ）は正面図である。図２４及び図２５は、図２３に示す商品陳列棚１ｅが、被設置体に設置されている様子を示す断面図であり、図２４は図２３のｘ−ｘ線で切った断面図であり、図２４（ａ）は被設置体に設置される前の図であり、図２４（ｂ）は被設置体に設置されているときの図であり、図２５は図２３のｙ−ｙ線で切った断面図であり、図２５（ａ）は被設置体に設置される前の図であり、図２５（ｂ）は被設置体に設置されているときの図である。
【００５０】
図２３に示すように、商品陳列棚１ｅでは、コ字状の外縁部の第三辺側に、被設置体の線材に引っ掛けられるフック１５ｅが付設されており、商品陳列棚１ｅの底面側且つコ字状の外縁部の第一辺及び第二辺側には、第一辺側の線材と第二辺側の線材が納まる切欠き部２５が形成されている。そして、商品陳列棚１ｅは、図２４に示すように、フック１５ｅを線材２３ｂに引っ掛け、且つ、第三辺側の側面２６をフック１５ｅが引っ掛かっている線材２３ｂより１つ下の線材２３ｂに当接し、且つ、図２５に示すように、第一辺及び第二辺側に形成されている切欠き部２５内に、線材２３ｂが入り込み、商品陳列棚１ｅの第一辺及び第二辺側の端が線材２３ｂの上に載り、商品陳列棚１ｅが被設置体に設置される。このことにより、商品陳列棚１ｅが、線材が正方形又は長方形の周を形成するように加工された線材２３ｂを、上下方向に多数配置させた被設置体に、安定して設置される。なお、第一商品陳列棚及び第二商品陳列棚のいずれも、商品陳列棚１ｅの形態とすることができる。
【符号の説明】
【００５１】
１ａ、１ｃ、１ｆ  第一商品陳列棚
１ｂ、１ｄ、１ｇ  第二商品陳列棚
１ｅ              商品陳列棚
２                コ字状の外縁部
３                第一商品陳列棚対向外縁部
４                第二商品陳列棚対向外縁部
５                第一陳列面前側外縁部
６                第二陳列面前側外縁部
７                第三陳列面前側外縁部
１０              商品陳列棚セット
１１              第一辺
１２              第二辺
１３              第三辺
１５              フック
１６、１９        陳列面
２１              係合凹部
２２              被設置体
２３              線材
２４              被設置体半割体
２５              切り欠き部
２６              第三辺側の側面
２７              棚支持部材
１７１、１７２、１７３、１７４  陳列面部 
【図１】
0003197455.tif 000003
【図２】
0003197455.tif 000004
【図３】
0003197455.tif 000005
【図４】
0003197455.tif 000006
【図５】
0003197455.tif 000007
【図６】
0003197455.tif 000008
【図７】
0003197455.tif 000009
【図８】
0003197455.tif 000010
【図９】
0003197455.tif 000011
【図１０】
0003197455.tif 000012
【図１１】
0003197455.tif 000013
【図１２】
0003197455.tif 000014
【図１３】
0003197455.tif 000015
【図１４】
0003197455.tif 000016
【図１５】
0003197455.tif 000017
【図１６】
0003197455.tif 000018
【図１７】
0003197455.tif 000019
【図１８】
0003197455.tif 000020
【図１９】
0003197455.tif 000021
【図２０】
0003197455.tif 000022
【図２１】
0003197455.tif 000023
【図２２】
0003197455.tif 000024
【図２３Ａ】
0003197455.tif 000025
【図２３Ｂ】
0003197455.tif 000026
【図２４】
0003197455.tif 000027
【図２５】
0003197455.tif 000028
【図２６】
0003197455.tif 000029
【図２７】
0003197455.tif 000030
【図２８】
0003197455.tif 000031
【図２９】
0003197455.tif 000032
【手続補正書】
【提出日】平成27年3月6日(2015.3.6)
【手続補正１】
【補正対象書類名】実用新案登録請求の範囲
【補正対象項目名】全文
【補正方法】変更
【補正の内容】
【実用新案登録請求の範囲】
【請求項１】
第一商品陳列棚及び第二商品陳列棚からなる商品陳列棚セットであり、
該第一商品陳列棚及び該第二商品陳列棚は、陳列面を平面視したときに、陳列面の外縁が、コ字状の外縁部と、該コ字状の外縁部の一端側の第一商品陳列棚対向外縁部と、該コ字状の外縁部の他端側の第二商品陳列棚対向外縁部と、第一陳列面前側外縁部と、第二陳列面前側外縁部と、第三陳列面前側外縁部と、からなる陳列面を有し、
該第一商品陳列棚の第一商品陳列棚対向外縁部の形状と該第二商品陳列棚の第一商品陳列棚対向外縁部の形状が同じであり、且つ、該第一商品陳列棚の第二商品陳列棚対向外縁部の形状と該第二商品陳列棚の第二商品陳列棚対向外縁部の形状が同じであり、
該第一商品陳列棚の第一商品陳列棚対向外縁部と該第二商品陳列棚の第一商品陳列棚対向外縁部とが向かい合わせになり、該第一商品陳列棚の第二商品陳列棚対向外縁部と該第二商品陳列棚の第二商品陳列棚対向外縁部とが向かい合わせになり、且つ、該第一商品陳列棚のコ字状の外縁部及び該第二商品陳列棚のコ字状の外縁部が、被設置体の周囲を囲むように、被設置体に設置可能であること、
を特徴とする商品陳列棚セット。
【請求項２】
前記第一商品陳列棚のコ字状の外縁部と前記第二商品陳列棚のコ字状の外縁部とにより形成される形状が正方形であることを特徴とする請求項１記載の商品陳列棚セット。
【請求項３】
前記第一商品陳列棚の陳列面の平面形状と前記第二商品陳列棚の陳列面の平面形状とが同じ形状であることを特徴とする請求項１又は２いずれか１項記載の商品陳列棚セット。
【請求項４】
前記第一商品陳列棚の第三陳列面前側外縁部及び前記第二商品陳列棚の第三陳列面前側外縁部の形状が、いずれも、同じ形状の２つの孤が点対称に連結している逆Ｓ字状の形状であり、前記第一商品陳列棚の第三陳列面前側外縁部の形状と、前記第二商品陳列棚の第三陳列面前側外縁部の形状が、同じであり、且つ、前記第一商品陳列棚の第一陳列面前側外縁部と前記第二商品陳列棚の第一陳列面前側外縁部とにより形成される形状及び前記第一商品陳列棚の第二陳列面前側外縁部と前記第二商品陳列棚の第二陳列面前側外縁部とにより形成される形状が、いずれも、同じ形状の２つの孤が点対称に連結しているＳ字状の形状であり、前記第一商品陳列棚の第一陳列面前側外縁部と前記第二商品陳列棚の第一陳列面前側外縁部とにより形成される形状と、前記第一商品陳列棚の第二陳列面前側外縁部と前記第二商品陳列棚の第二陳列面前側外縁部とにより形成される形状が、同じであり、且つ、前記第一商品陳列棚の第三陳列面前側外縁部及び前記第二商品陳列棚の第三陳列面前側外縁部の形状と、前記第一商品陳列棚の第一陳列面前側外縁部と前記第二商品陳列棚の第一陳列面前側外縁部とにより形成される形状及び前記第一商品陳列棚の第二陳列面前側外縁部と前記第二商品陳列棚の第二陳列面前側外縁部とにより形成される形状とが、線対称であることを特徴とする請求項１〜３いずれか１項記載の商品陳列棚セット。
【請求項５】
前記第一商品陳列棚の第三陳列面前側外縁部及び前記第二商品陳列棚の第三陳列面前側外縁部の形状が、いずれも、同じ形状の２つの孤が点対称に連結しているＳ字状の形状であり、前記第一商品陳列棚の第三陳列面前側外縁部の形状と、前記第二商品陳列棚の第三陳列面前側外縁部の形状が、同じであり、且つ、前記第一商品陳列棚の第一陳列面前側外縁部と前記第二商品陳列棚の第一陳列面前側外縁部とにより形成される形状及び前記第一商品陳列棚の第二陳列面前側外縁部と前記第二商品陳列棚の第二陳列面前側外縁部とにより形成される形状が、いずれも、同じ形状の２つの孤が点対称に連結している逆Ｓ字状の形状であり、前記第一商品陳列棚の第一陳列面前側外縁部と前記第二商品陳列棚の第一陳列面前側外縁部とにより形成される形状と、前記第一商品陳列棚の第二陳列面前側外縁部と前記第二商品陳列棚の第二陳列面前側外縁部とにより形成される形状が、同じであり、且つ、前記第一商品陳列棚の第三陳列面前側外縁部の形状及び前記第二商品陳列棚の第三陳列面前側外縁部の形状と、前記第一商品陳列棚の第一陳列面前側外縁部と前記第二商品陳列棚の第一陳列面前側外縁部とにより形成される形状及び前記第一商品陳列棚の第二陳列面前側外縁部と前記第二商品陳列棚の第二陳列面前側外縁部とにより形成される形状とが、線対称であることを特徴とする請求項１〜４いずれか１項記載の商品陳列棚セット。
【請求項６】
前記第一商品陳列棚の第一商品陳列棚対向外縁部の形状が、前記第一商品陳列棚の第二陳列面前側外縁部の第三陳列面前側外縁部側の部分と同じであり、且つ、前記第二商品陳列棚の第一陳列面前側外縁部の第三陳列面前側外縁部側の部分と同じであり、
前記第一商品陳列棚の第二商品陳列棚対向外縁部の形状が、前記第一商品陳列棚の第一陳列面前側外縁部の第三陳列面前側外縁部側の部分と同じであり、且つ、前記第二商品陳列棚の第二陳列面前側外縁部の第三陳列面前側外縁部側の部分と同じであり、
前記第二商品陳列棚の第一商品陳列棚対向外縁部の形状が、前記第一商品陳列棚の第一陳列面前側外縁部の第三陳列面前側外縁部側の部分と同じであり、且つ、前記第二商品陳列棚の第二陳列面前側外縁部の第三陳列面前側外縁部側の部分と同じであり、
前記第二商品陳列棚の第二商品陳列棚対向外縁部が、前記第一商品陳列棚の第二陳列面前側外縁部の第三陳列面前側外縁部側の部分と同じであり、且つ、前記第二商品陳列棚の第一陳列面前側外縁部の第三陳列面前側外縁部側の部分と同じであること、
を特徴とする請求項１〜５いずれか１項記載の商品陳列棚セット。
【請求項７】
前記第一商品陳列棚の第一陳列面前側外縁部、第二陳列面前側外縁部及び第三陳列面前側外縁部と、前記第二商品陳列棚の第一陳列面前側外縁部、第二陳列面前側外縁部及び第三陳列面前側外縁部とにより形成される形状が、正方形又は長方形であることを特徴とする請求項１記載の商品陳列棚セット。
【請求項８】
前記コ字状の外縁部側に、線材に引っ掛かることができるフックが付設され、前記第一商品陳列棚及び第二商品陳列棚の底面側且つ前記コ字状の外縁部の第一辺及び第二辺側に、第一辺側の線材及び第二辺側の線材が納まる切欠き部が形成されていることを特徴とする請求項１〜７いずれか１項記載の商品陳列棚セット。